(57)【要約】【課題】  天井に埋設された照明器具に対する安定器交換作業の効率を向上させる。【解決手段】  既設の天井埋設型照明器具の安定器交換時に、照明灯および反射板をそれぞれ取り外して照明器具の下面を開口し、安定器およびランプソケット間のリード線をそれぞれ切断し、切断したリード線とともにランプソケットをそれぞれ取り外し、交換用安定器と、交換用安定器にリード線を介してそれぞれ接続された少なくとも一対の交換用ランプソケットと、交換用安定器を取付保持するユニット本体部とを備えた交換用安定器ユニットを照明器具の支持フレームに固定し、交換用ランプソケットをランプソケットが取り付けられていた位置にそれぞれ取り付け、反射板を元の位置に取り付け、一対の交換用ランプソケット間に交換用照明灯または取り外した照明灯を取り付ける。【選択図】    図４
2006019222.tif 000002
【特許請求の範囲】
【請求項１】
天井裏側で互いに平行に設置された一対の天井バーに対応してそれぞれ固定される一対の支持フレームと、前記支持フレームに架橋してそれぞれ取り付けられた一対の載置部と、前記載置部上に取り付けられた安定器と、前記安定器にリード線を介してそれぞれ接続され、前記載置部の下面にそれぞれ取り付けられた少なくとも一対のランプソケットと、前記支持フレーム内に取り付けられた反射板と、前記一対のランプソケット間に取り付けられた照明灯とを備えた既設の天井埋設型照明器具における交換用安定器の取付方法であって、
前記照明灯および前記反射板をそれぞれ取り外して前記照明器具の下面を開口し、
前記リード線をそれぞれ切断し、切断したリード線とともに前記ランプソケットを前記載置部からそれぞれ取り外し、
交換用安定器と、前記交換用安定器にリード線を介してそれぞれ接続された少なくとも一対の交換用ランプソケットと、前記交換用安定器を取付保持するユニット本体部とを備えた交換用安定器ユニットを前記支持フレームに固定し、
前記交換用ランプソケットを前記ランプソケットが取り付けられていた位置にそれぞれ取り付け、
前記反射板を元の位置に取り付け、前記一対の交換用ランプソケット間に交換用照明灯または前記照明灯を取り付けることを特徴とする既設の天井埋設型照明器具における交換用安定器の取付方法。
【請求項２】
請求項１記載の既設の天井埋設型照明器具における交換用安定器の取付方法において、
前記交換用安定器ユニットを、前記照明器具の下面の開口側からビスにより前記支持フレームに固定することを特徴とする既設の天井埋設型照明器具における交換用安定器の取付方法。
【請求項３】
請求項１記載の既設の天井埋設型照明器具における交換用安定器の取付方法において、
前記交換用安定器ユニットを、前記支持フレームの外側からビスにより前記支持フレームに固定することを特徴とする既設の天井埋設型照明器具における交換用安定器の取付方法。
【請求項４】
天井裏側で互いに平行に設置された一対の天井バーに対応してそれぞれ固定される一対の支持フレームと、前記支持フレームに架橋してそれぞれ取り付けられた一対の載置部と、前記載置部上に取り付けられた安定器と、前記安定器にリード線を介してそれぞれ接続され、前記載置部の下面にそれぞれ取り付けられた少なくとも一対のランプソケットと、前記支持フレーム内に取り付けられた反射板と、前記一対のランプソケット間に取り付けられた照明灯とを備えた既設の天井埋設型照明器具に、前記安定器の交換時に取り付けられる交換用安定器ユニットであって、
交換用安定器と、
前記交換用安定器にリード線を介してそれぞれ接続されるとともに、前記安定器の交換時に切断される前記安定器からのリード線とともに撤去される前記ランプソケットが取り付けられていた位置にそれぞれ取り付けられる少なくとも一対の交換用ランプソケットと、
前記交換用安定器を取付保持する断面コ字形状のユニット本体部と、
前記ユニット本体部の対向部分の先端側に連接されるとともに、前記支持フレームの少なくとも上面および側面を被覆した状態で、ビスにより前記支持フレームに固定されるユニット固定部とを備え、
前記ユニット固定部は、前記支持フレームの少なくとも上面および側面に適合する形状をなし、前記支持フレームの上面を除く外面に対応する位置にビス穴を備えていることを特徴とする既設の天井埋設型の照明器具における安定器交換ユニット。
【請求項５】
請求項４記載の既設の天井埋設型の照明器具における安定器交換ユニットにおいて、
前記ユニット固定部は、前記支持フレームの上面および内側側面に適合する形状をなし、前記支持フレームの内側側面に対応する位置に前記ビス穴を備えていることを特徴とする既設の天井埋設型の照明器具における安定器交換ユニット。
【請求項６】
請求項４記載の既設の天井埋設型の照明器具における安定器交換ユニットにおいて、
前記ユニット固定部は、前記支持フレームにおける上面、内側側面および下面に適合する形状をなし、前記支持フレームの下面に対応する位置に前記ビス穴を備えていることを特徴とする既設の天井埋設型の照明器具における安定器交換ユニット。
【請求項７】
請求項４記載の既設の天井埋設型の照明器具における安定器交換ユニットにおいて、
前記ユニット固定部は、前記支持フレームの上面および外側側面に適合する形状をなし、前記支持フレームの外側側面に対応する位置に前記ビス穴を備えていることを特徴とする既設の天井埋設型の照明器具における安定器交換ユニット。
【発明の詳細な説明】
【技術分野】
【０００１】
本発明は、既設の天井埋設型照明器具における交換用安定器の取付方法および交換用安定器ユニットに関する。
【背景技術】
【０００２】
近時、地球環境保護、循環型社会への適応という社会的背景のなか、天井に埋設された照明器具に対して、照明器具本体をそのまま残し、照明器具に取り付けられている電磁式安定器をインバータ安定器に交換する安定器交換方法が注目されている。インバータ安定器の中には、回路の中で５０ｋＨｚ程度の高周波電界を発生する高効率のものがあり、その照明への代替が特に注目されている。
【０００３】
一般に、最近の天井埋設型の照明器具は、システム天井の普及により、システム天井の下地材のうち天井下面から見え掛かるＴバー形状の天井バーに直接固定を取る構成となっている。この天井埋設型の照明器具は、天井裏側で互いに平行に設置された一対の天井バーに対応してそれぞれ固定される一対の支持フレームと、支持フレームに架橋してそれぞれ取り付けられた一対の載置部と、載置部上に取り付けられた安定器と、安定器にリード線を介してそれぞれ接続され、載置部の下面にそれぞれ取り付けられた少なくとも一対のランプソケットと、支持フレーム内に取り付けられた反射板と、一対のランプソケット間に取り付けられた照明灯とを有している（例えば、特許文献１参照）。
【０００４】
従来、既設の天井埋設型照明器具の安定器交換作業は、以下に示す手順で実施されていた。まず、照明灯および反射板を順次取り外して照明器具の下面を開口させる。次に、安定器、ランプソケット、およびこれらを接続するリード線をすべて取り外し、交換用安定器およびリード線付き交換用ランプソケットを、安定器およびランプソケットが取り付けられていた位置にそれぞれ取り付ける。そして、交換用ランプソケットに接続されているリード線を交換用安定器に接続する。この後、反射板を元の位置に取り付け、照明灯を交換用ランプソケット間に取り付ける。これにより、照明器具の安定器交換作業は完了する。
【特許文献１】特開平５−８９７１４号公報
【発明の開示】
【発明が解決しようとする課題】
【０００５】
しかしながら、前述した照明器具の安定器交換方法では、以下に示す問題点があった。
（１）作業現場において、交換用安定器および交換用ランプソケット間のリード線の配線作業が多いうえに、作業者がその配線作業を上向きで実施しなければならず、作業効率が著しく低下してしまう。また、作業現場での配線作業が多い場合、配線ミスに起因する照明器具の動作不良が生じ易くなってしまう。
（２）安定器は、通常、天井裏側からビスにより載置部上に固定されているため、作業者が天井点検口などから天井裏に入り、安定器の取り外しおよび交換用安定器の取り付けを天井裏で実施しなければならない。
（３）（１）および（２）に起因して、安定器交換作業にかかる作業時間および人件費が増大してしまう。換言すれば、既設の照明器具に対する安定器交換の施工コストが増大してしまう。
【０００６】
本発明は、これらの問題点に鑑みてなされたものであり、既設の天井埋設型照明器具に対する安定器交換作業の効率を向上させることを目的とする。
【課題を解決するための手段】
【０００７】
請求項１の既設の天井埋設型照明器具における交換用安定器の取付方法は、天井裏側で互いに平行に設置された一対の天井バーに対応してそれぞれ固定される一対の支持フレームと、前記支持フレームに架橋してそれぞれ取り付けられた一対の載置部と、前記載置部上に取り付けられた安定器と、前記安定器にリード線を介してそれぞれ接続され、前記載置部の下面にそれぞれ取り付けられた少なくとも一対のランプソケットと、前記支持フレーム内に取り付けられた反射板と、前記一対のランプソケット間に取り付けられた照明灯とを備えた既設の天井埋設型照明器具における交換用安定器の取付方法であって、前記照明灯および前記反射板をそれぞれ取り外して前記照明器具の下面を開口し、前記リード線をそれぞれ切断し、切断したリード線とともに前記ランプソケットを前記載置部からそれぞれ取り外し、交換用安定器と、前記交換用安定器にリード線を介してそれぞれ接続された少なくとも一対の交換用ランプソケットと、前記交換用安定器を取付保持するユニット本体部とを備えた交換用安定器ユニットを前記支持フレームに固定し、前記交換用ランプソケットを前記ランプソケットが取り付けられていた位置にそれぞれ取り付け、前記反射板を元の位置に取り付け、前記一対の交換用ランプソケット間に交換用照明灯または前記照明灯を取り付けることを特徴とする。
【０００８】
請求項２の既設の天井埋設型照明器具における交換用安定器の取付方法は、請求項１記載の既設の天井埋設型照明器具における交換用安定器の取付方法において、前記交換用安定器ユニットを、前記照明器具の下面の開口側からビスにより前記支持フレームに固定することを特徴とする。
請求項３の既設の天井埋設型照明器具における交換用安定器の取付方法は、請求項１記載の既設の天井埋設型照明器具における交換用安定器の取付方法において、前記交換用安定器ユニットを、前記支持フレームの外側からビスにより前記支持フレームに固定することを特徴とする。
【０００９】
請求項４の既設の天井埋設型照明器具における交換用安定器ユニットは、天井裏側で互いに平行に設置された一対の天井バーに対応してそれぞれ固定される一対の支持フレームと、前記支持フレームに架橋してそれぞれ取り付けられた一対の載置部と、前記載置部上に取り付けられた安定器と、前記安定器にリード線を介してそれぞれ接続され、前記載置部の下面にそれぞれ取り付けられた少なくとも一対のランプソケットと、前記支持フレーム内に取り付けられた反射板と、前記一対のランプソケット間に取り付けられた照明灯とを備えた既設の天井埋設型照明器具に、前記安定器の交換時に取り付けられる交換用安定器ユニットであって、交換用安定器と、前記交換用安定器にリード線を介してそれぞれ接続されるとともに、前記安定器の交換時に切断される前記安定器からのリード線とともに撤去される前記ランプソケットが取り付けられていた位置にそれぞれ取り付けられる少なくとも一対の交換用ランプソケットと、前記交換用安定器を取付保持する断面コ字形状のユニット本体部と、前記ユニット本体部の対向部分の先端側に連接されるとともに、前記支持フレームの少なくとも上面および側面を被覆した状態で、ビスにより前記支持フレームに固定されるユニット固定部とを備え、前記ユニット固定部は、前記支持フレームの少なくとも上面および側面に適合する形状をなし、前記支持フレームの上面を除く外面に対応する位置にビス穴を備えていることを特徴とする。
【００１０】
請求項５の既設の天井埋設型照明器具における交換用安定器ユニットは、請求項４記載の既設の天井埋設型の照明器具における安定器交換ユニットにおいて、前記ユニット固定部は、前記支持フレームの上面および内側側面に適合する形状をなし、前記支持フレームの内側側面に対応する位置に前記ビス穴を備えていることを特徴とする。
請求項６の既設の天井埋設型照明器具における交換用安定器ユニットは、請求項４記載の既設の天井埋設型の照明器具における安定器交換ユニットにおいて、前記ユニット固定部は、前記支持フレームにおける上面、内側側面および下面に適合する形状をなし、前記支持フレームの下面に対応する位置に前記ビス穴を備えていることを特徴とする。
【００１１】
請求項７の既設の天井埋設型照明器具における交換用安定器ユニットは、請求項４記載の既設の天井埋設型の照明器具における安定器交換ユニットにおいて、前記ユニット固定部は、前記支持フレームの上面および外側側面に適合する形状をなし、前記支持フレームの外側側面に対応する位置に前記ビス穴を備えていることを特徴とする。
【発明の効果】
【００１２】
請求項１の既設の天井埋設型照明器具における交換用安定器の取付方法では、交換用安定器と交換用ランプソケットとがリード線を介して予め接続された交換用安定器ユニットを、支持フレームに固定することで、安定器の取り外し作業および作業現場でのリード線の配線作業を省くことができる。このため、安定器交換作業の効率を向上でき、作業時間および人件費を削減できる。すなわち、既設の照明器具に対する安定器交換の施工コストを抑制できる。
【００１３】
また、前述の交換用安定器ユニットを用いることで、交換用安定器および交換用ランプソケットがリード線を介して接続された状態での動作テストを予め実施しておくことができる。このため、作業現場での配線ミスに起因する照明器具の動作不良を確実に防止できる。
請求項２の既設の天井埋設型照明器具における交換用安定器の取付方法では、交換用安定器ユニットを、照明器具の下面の開口側から支持フレームにビス止めするため、例えば、天井裏側からビス止めする場合に比べて、交換用安定器ユニットの取付作業を容易に実施できる。また、照明器具の下面の開口側からビス止めされた交換用安定器ユニットは取り外しも容易であるため、交換用安定器の寿命などに伴う次回の安定器交換時に、安定器交換作業の効率を向上できる。
【００１４】
請求項３の既設の天井埋設型照明器具における交換用安定器の取付方法では、ビルの一括改修工事などに伴って、天井バーから天井板が取り外されている場合、交換用安定器ユニットを、支持フレームの外側から支持フレームにビス止めするため、例えば、天井裏側からビス止めする場合に比べて、交換用安定器ユニットの取付作業を容易に実施できる。また、支持フレームの外側からビス止めされた交換用安定器ユニットは取り外しも容易であるため、ビルの一括改修工事などに合わせた次回の安定器交換時に、安定器交換作業の効率を向上できる。
【００１５】
請求項４の既設の天井埋設型照明器具における交換用安定器ユニットでは、交換用安定器と交換用ランプソケットとはリード線を介して予め接続されているため、照明器具の安定器交換時に、作業現場でのリード線の配線作業を省くことができる。このため、安定器交換作業の効率を向上でき、作業時間および人件費を削減できる。すなわち、既設の照明器具に対する安定器交換の施工コストを抑制できる。
【００１６】
また、交換用安定器および交換用ランプソケットがリード線を介して接続された状態での動作テストを予め実施しておくことができるため、照明器具の安定器交換時に、作業現場での配線ミスに起因する照明器具の動作不良を確実に防止できる。
さらに、ビス穴がユニット固定部における支持フレームの上面を除く外面に対応する位置に設けられているため、照明器具の安定器交換時に、ユニット固定部のビス止め作業を天井裏で実施する必要がなくなる。このため、交換用安定器ユニットの取付作業を容易に実施できる。
【００１７】
請求項５の既設の天井埋設型照明器具における交換用安定器ユニットでは、ビス穴がユニット固定部における支持フレームの内側側面に対応する位置に設けられているため、照明器具の安定器交換時に、照明器具の下面を開口させることにより、ユニット固定部のビス止め作業を支持フレームの内側から容易に固定できる。
請求項６の既設の天井埋設型照明器具における交換用安定器ユニットでは、ビス穴がユニット固定部における支持フレームの下面に対応する位置に設けられているため、照明器具の下面を開口させることにより、ユニット固定部のビス止め作業を支持フレームの下側から容易に固定できる。
【００１８】
請求項７の既設の天井埋設型照明器具における交換用安定器ユニットでは、ビス穴がユニット固定部における支持フレームの外側側面に対応する位置に設けられているため、ビルの一括改修工事などに伴って、天井バーから天井板が取り外されている場合、照明器具の安定器交換時に、ユニット固定部のビス止め作業を支持フレームの外側から容易に固定できる。
【発明を実施するための最良の形態】
【００１９】
以下、図面を用いて本発明の実施形態を説明する。
図１〜９は、本発明の第１の実施形態を示している。図１、２は、本発明を適用する既設の天井埋設型照明器具を示している。
天井に埋設された照明器具１０は、断面矩形形状の支持フレーム１２ａ、１２ｂ、板状の載置部１４ａ、１４ｂ、安定器１６（電磁式安定器）、安定器保持部１８、ランプソケット２０ａ〜２０ｄ、反射板２２および照明灯２４ａ、２４ｂを有している。
【００２０】
支持フレーム１２ａ、１２ｂは、天井板（図示せず）を保持するためのＴバー（天井バー）２６ａ、２６ｂに固定されたブラケット２８ａ〜２８ｄによりそれぞれ支持されている。Ｔバー２６ａ、２６ｂは、天井裏側でそれぞれの頂部フランジ部分が互いに平行に設置されており、支持フレーム１２ａ、１２ｂも、ブラケット２８ａ〜２８ｄにより、Ｔバー２６ａ、２６ｂに対応して互いに平行に支持されている。載置部１４ａ、１４ｂは、支持フレーム１２ａ、１２ｂの一端側および他端側に架橋してそれぞれ取り付けられている。
【００２１】
安定器保持部１８は、連結部１８ａ、連結部１８ａの両側を同一方向に直角に折り曲げてそれぞれ形成された対向部１８ｂ、１８ｃ、対向部１８ｂ、１８ｃの先端側を外側に直角に折り曲げてそれぞれ形成されたつば部１８ｄ、１８ｅ有している。安定器保持部１８は、連結部１８ａの内面に安定器１６を取付保持している。安定器保持部１８は、連結部１８ａの内面が載置部１４ａの上面に対向する状態で、つば部１８ｄ、１８ｅの載置部１４ａへのビス止めにより、載置部１４ａ上に固定されている。安定器１６からは、対向部１８ｂの外側に取り付けた電源用端子台１６ａに２次側電源線を出して端子台に固定し、端子台の反対側には分電盤（図示せず）からの１次側電源線をつなぎ込み導通させて接続している。
【００２２】
ランプソケット２０ａ〜２０ｄは、２本のリード線３０を介して安定器１６にそれぞれ接続されている。ランプソケット２０ａ、２０ｃは、互いに対向した状態で、載置部１４ａ、１４ｂの下面に固定されたソケットレール（図示せず）に着脱自在にそれぞれ取り付けられている。同様に、ランプソケット２０ｂ、２０ｄは、互いに対向した状態で、載置部１４ａ、１４ｂの下面に固定されたソケットレール（図示せず）に着脱自在にそれぞれ取り付けられている。反射板２２は、支持フレーム１２ａ、１２ｂの内側で、例えば、載置部１４ａ、１４ｂの下面に着脱自在に取り付けられている。照明灯２４ａ、２４ｂは、ランプソケット２０ａ、２０ｃの間、ランプソケット２０ｂ、２０ｄの間に着脱自在にそれぞれ取り付けられている。
【００２３】
図３は、第１の実施形態における交換用安定器ユニットを示している。
交換用安定器ユニット１００は、交換用安定器１１０（インバータ安定器）、交換用ランプソケット１２０ａ〜１２０ｄ、断面コ字形状のユニット本体部１３０、ユニット固定部１４０を有している。
交換用ランプソケット１２０ａ〜１２０ｄは、２本のリード線１２２を介して交換用安定器１１０にそれぞれ接続されている。交換用ランプソケット１２０ａ〜１２０ｄは、照明器具１０のランプソケット２０ａ〜２０ｄ（図１、２）とは、ランプのピンとの接合部だけ形状の異なる、外形同形のランプソケットであり、照明器具１０の載置部１４ａ、１４ｂに着脱自在に取り付け可能である。
【００２４】
ユニット本体部１３０は、連結部１３０ａ、および連結部１３０ａの両側を同一方向に直角に折り曲げてそれぞれ形成された対向部１３０ｂ、１３０ｃを有し、連結部１３０ａの内面に交換用安定器１１０を取付保持している。交換用安定器１１０からの２次側電源線は、電源用端子台１１０ａに固定されている。ユニット本体部１３０の長尺は、照明器具１０の載置部１４ａ、１４ｂの離間距離よりやや長めに設定されている。
【００２５】
ユニット固定部１４０は、ユニット本体部１３０の対向部１３０ｂの先端側に一体形成され、照明器具１０の支持フレーム１２ａの上面および内側側面に適合する断面Ｌ字形状をなし、支持フレーム１２ａの内側側面に対応する位置にビス穴１４２ａ、１４２ｂを有している。ユニット固定部１４０の長尺は、載置部１４ａ、１４ｂの離間距離よりやや短めに設定されている。また、ユニット本体部１３０の一端からユニット固定部１４０の一端までの距離と、ユニット本体部１３０の他端からユニット固定部１４０の他端までの距離とは、ほぼ同一に設定されている。
【００２６】
ここで、交換用安定器ユニット１００の照明器具１０への取付方法、すなわち、第１の実施形態における照明器具１０の安定器交換方法について説明する。
図４〜９は、安定器交換ユニット１００の照明器具１０への取付方法を示している。
まず、図５に示すように、照明灯２４ａ、２４ｂおよび反射板２２（図１、２）を順次取り外して照明器具１０の下面を開口させる（図４のステップＳ１１）。
【００２７】
次に、図６に示すように、リード線３０をそれぞれ安定器１６に近いところで切断し、切断したリード線３０とともにランプソケット２０ａ〜２０ｄを載置部１４ａ、１４ｂのソケットレールからそれぞれ取り外す（図４のステップＳ１２）。なお、安定器保持部１８（安定器１６を含む）は取り外さずに、そのまま残しておく。そして、分電盤からの１次側電源線は、通電解除した後、電源用端子台１６ａから取り外すか、中途で切断して端子処理しておく。
【００２８】
そして、図７、８に示すように、交換用安定器ユニット１００におけるユニット本体部１３０の連結部１３０ａの内面を載置部１４ａ、１４ｂの上面に対向させた状態、かつ、支持フレーム１２ａの上面および内側側面をユニット固定部１４０により被覆させた状態で、交換用安定器ユニット１００を載置台１４ａ、１４ｂおよび支持フレーム１２ａ上に設置する。さらに、ユニット固定部１４０を、照明器具１０の下面の開口３２側から支持フレーム１２ａの内側側面にビス穴１４２ａ、１４２ｂ（図３）を介してビス止めする（図４のステップＳ１３）。これにより、交換用安定器ユニット１００は、載置部１４ａ、１４ｂ、および支持フレーム１２ａに支持されて安定した状態で、支持フレーム１２ａに固定される。
【００２９】
なお、交換安定器用ユニット１００の天井裏側への搬入は、照明器具１０の下面の開口３２を介して実施してもよいし、ビルの一括改修工事などに伴って、Ｔバー２６ａ、２６ｂから天井板が取り外されている場合には、Ｔバー２６ａ、２６ｂから取り外された天井板側の開口を介して実施してもよい。また、図７、８において、交換用安定器ユニット１００の交換用ランプソケット１２０ａ〜１２０ｄ（リード線１２２を含む）および電源用端子台１１０ａは、図を分かり易くするために省略している。
【００３０】
交換用安定器１１０と交換用ランプソケット１２０ａ〜１２０ｄとがリード線１２２を介して予め接続された交換用安定器ユニット１００を、支持フレーム１２ａに固定することで、安定器１６の取り外し作業および作業現場でのリード線の配線作業は不要になる。このため、安定器交換作業の効率が向上し、作業時間および人件費が削減される。また、交換用安定器１１０および交換用ランプソケット１２０ａ〜１２０ｄがリード線１２２を介して接続された状態での動作テストを予め実施しておくことができるため、作業現場での配線ミスに起因する照明器具１０の動作不良が確実に防止される。さらに、ユニット固定部１４０を、照明器具１０の下面の開口３２を介して、支持フレーム１２ａの内側からビス止めすることで、例えば、天井裏側からビス止めする場合に比べて、交換用安定器ユニットの取付作業は容易に実施される。
【００３１】
この後、図９に示すように、交換用ランプソケット１２０ａ〜１２０ｄを載置部１４ａ、１４ｂの下面におけるランプソケット２０ａ〜２０ｄが取り付けられていた位置のソケットレールにそれぞれ取り付ける（図４のステップＳ１４）。その後、交換用安定器ユニット１００の電源用端子台１１０ａに、分電盤からの１次側電源線を不導通状態で接続する。最後に、反射板２２を元の位置（載置部１４ａ、１４ｂの下面）に取り付けるとともに、インバータ用照明灯１５０ａ（交換用照明灯）を交換用ランプソケット１２０ａ、１２０ｃの間に取り付け、インバータ用照明灯１５０ｂ（交換用照明灯）を交換用ランプソケット１２０ｂ、１２０ｄの間に取り付ける（図４のステップＳ１５）。これにより、交換用安定器ユニット１００の照明器具１０への取付作業、すなわち、第１の実施形態における照明器具１０の安定器交換作業は完了する。
【００３２】
以上、第１の実施形態では、次の効果が得られる。
交換用安定器１１０と交換用ランプソケット１２０ａ〜１２０ｄとがリード線１２２を介して予め接続された交換用安定器ユニット１００を、支持フレーム１２ａに固定することで、安定器１６の取り外し作業および作業現場でのリード線の配線作業は不要になる。このため、安定器交換作業の効率を向上でき、作業時間および人件費を削減できる。すなわち、照明器具１０に対する安定器交換の施工コストを抑制できる。
【００３３】
交換用安定器１１０および交換用ランプソケット１２０ａ〜１２０ｄがリード線１２２を介して接続された状態での動作テストを予め実施しておくことができるため、作業現場での配線ミスに起因する照明器具１０の動作不良を確実に防止できる。
ユニット固定部１４０を、照明器具１０の下面の開口３２を介して、支持フレーム１２ａの内側からビス止めすることで、例えば、天井裏側からビス止めする場合に比べて、交換用安定器ユニット１００の取付作業を容易に実施できる。また、支持フレーム１２ａの内側からビス止めされた交換用安定器ユニット１００は取り外しも容易であるため、交換用安定器１１０の寿命などに伴う次回の安定器交換時に、安定器交換作業の効率を向上できる。
【００３４】
図１０〜１２は、本発明の第２の実施形態を示している。なお、第１の実施形態で説明した要素と同一の要素については、同一の符号を付し、詳細な説明を省略する。
図１０は、第２の実施形態における交換用安定器ユニット２００を示している。
交換用安定器ユニット２００は、第１の実施形態のユニット固定部１４０（図３）に代えて、ユニット固定部２４０を有している。交換用安定器ユニット２００におけるその他の構成は、第１の実施形態の交換用安定器ユニット１００と同一である。
【００３５】
ユニット固定部２４０は、ユニット本体部１３０の対向部１３０ｂの先端側に一体形成され、照明器具１０（図１、２）の支持フレーム１２ａの上面、内側側面および下面に適合する断面コ字形状をなし、支持フレーム１２ａの内側側面に対応する位置にビス穴２４２ａ、２４２ｂを有している。ユニット固定部２４０の長尺は、第１の実施形態のユニット固定部１４０と同様に、載置部１４ａ、１４ｂの離間距離よりやや短めに設定されている。また、ユニット本体部１３０の一端からユニット固定部２４０の一端までの距離と、ユニット本体部１３０の他端からユニット固定部２４０の他端までの距離とは、ほぼ同一距離に設定されている。
【００３６】
ここで、交換用安定器ユニット２００の照明器具１０への取付方法、すなわち、第２の実施形態における照明器具１０の安定器交換方法について説明する。なお、交換用安定器ユニット２００の照明器具１０への取付方法は、交換用安定器ユニット２００を設置・固定する作業を除いて、第１の実施形態で説明した交換用安定器ユニット１００の照明器具１０への取付方法と同一であるため、同一作業については、詳細な説明を省略する。
【００３７】
図１１、１２は、交換用安定器ユニット２００の照明器具１０への取付方法を示している。
まず、第１の実施形態と同様に、照明灯２４ａ、２４ｂと反射板２２とを取り外す作業（照明器具１０の下面を開口させる作業）、およびランプソケット２０ａ〜２０ｄ（リード線３０を含む）を取り外す作業を順次実施する。
【００３８】
次に、図１１、１２に示すように、交換用安定器ユニット２００におけるユニット本体部１３０の連結部１３０ａの内面を載置部１４ａ、１４ｂの上面に対向させた状態、かつ、支持フレーム１２ａの上面、内側側面および下面をユニット固定部２４０により被覆させた状態で、交換用安定器ユニット２００を載置台１４ａ、１４ｂおよび支持フレーム１２ａ上に設置する。さらに、ユニット固定部２４０を、照明器具１０の下面の開口３２側から支持フレーム１２ａの下面にビス穴２４２ａ、２４２ｂ（図１０）を介してビス止めする。これにより、交換用安定器ユニット２００は、載置部１４ａ、１４ｂ、および支持フレーム１２ａに支持されて安定した状態で、支持フレーム１２ａに固定される。
【００３９】
なお、交換安定器用ユニット２００の天井裏側への搬入は、第１の実施形態と同様に、照明器具１０の下面の開口３２を介して実施してもよいし、ビルの一括改修工事などに伴って、Ｔバー２６ａ、２６ｂから天井板が取り外されている場合には、Ｔバー２６ａ、２６ｂから取り外された天井板側の開口を介して実施してもよい。また、図１１、１２において、交換用安定器ユニット２００の交換用ランプソケット１２０ａ〜１２０ｄ（リード線１２２を含む）および電源用端子台１１０ａは、図を分かり易くするために省略している。
【００４０】
第１の実施形態と同様に、交換用安定器１１０と交換用ランプソケット１２０ａ〜１２０ｄとがリード線１２２を介して予め接続された交換用安定器ユニット２００を、支持フレーム１２ａに固定することで、安定器１６の取り外し作業および作業現場でのリード線の配線作業は不要になる。このため、安定器交換作業の効率が向上し、作業時間および人件費が削減される。また、交換用安定器１１０および交換用ランプソケット１２０ａ〜１２０ｄがリード線１２２を介して接続された状態での動作テストを予め実施しておくことができるため、作業現場での配線ミスに起因する照明器具１０の動作不良が確実に防止される。さらに、ユニット固定部２４０を、照明器具１０の下面の開口３２を介して、支持フレーム１２ａの下側からビス止めすることで、例えば、天井裏側からビス止めする場合に比べて、交換用安定器ユニットの取付作業は容易に実施される。
【００４１】
そして、第１の実施形態と同様に、交換用ランプソケット１２０ａ〜１２０ｄを取り付ける作業以降を順次実施する。これにより、交換用安定器ユニット２００の照明器具１０への取付作業、すなわち、第２の実施形態における照明器具１０の安定器交換作業は完了する。
以上、第２の実施形態でも、第１の実施形態と同様の効果が得られる。さらに、ビス穴２４２ａ、２４２ｂがユニット固定部２４０における支持フレームの下面に対応する位置に設けられているため、ビス止め用工具に対してＴバー２６ａ、２６ｂの離間間隔が狭い場合でも、ユニット固定部２４０のビス止め作業を容易に実施できる。
【００４２】
図１３〜１５は、本発明の第３の実施形態を示している。なお、第１の実施形態で説明した要素と同一の要素については、同一の符号を付し、詳細な説明を省略する。
図１３は、第３の実施形態における交換用安定器ユニットを示している。
交換用安定器ユニット３００は、第１の実施形態のユニット固定部１４０（図３）に代えて、ユニット固定部３４０を有している。交換用安定器ユニット３００におけるその他の構成は、第１の実施形態の交換用安定器ユニット１００と同一である。
【００４３】
ユニット固定部３４０は、ユニット本体部１３０の対向部１３０ｂの先端側に一体形成され、照明器具１０（図１、２）の支持フレーム１２ａの上面および外側側面に適合する断面Ｌ字形状をなし、支持フレーム１２ａの外側側面に対応する位置にビス穴３４２ａ、３４２ｂを有している。ユニット固定部３４０の長尺は、第１の実施形態のユニット固定部１４０とは異なり、ユニット本体部１３０の長尺と同一である。このため、ユニット固定部３４０は、第１の実施形態のユニット固定部１４０および第２の実施形態のユニット固定部２４０と比較して、容易に形成できる。
【００４４】
ここで、交換用安定器ユニット３００の照明器具１０への取付方法、すなわち、第３の実施形態における照明器具１０の安定器交換方法について説明する。なお、交換用安定器ユニット３００の照明器具１０への取付方法は、交換用安定器ユニット３００を設置・固定する作業を除いて、第１の実施形態で説明した交換用安定器ユニット１００の照明器具１０への取付方法と同一であるため、同一作業については、詳細な説明を省略する。また、ビルの一括改修工事などに伴って、Ｔバー２６ａ、２６ｂから天井板が取り外されている場合について説明する。
【００４５】
図１４、１５は、交換用安定器ユニット３００の照明器具１０への取付方法を示している。
まず、第１の実施形態と同様に、照明灯２４ａ、２４ｂと反射板２２とを取り外す作業（照明器具１０の下面を開口させる作業）、およびランプソケット２０ａ〜２０ｄ（リード線３０を含む）を取り外す作業を順次実施する。
【００４６】
次に、図１４、１５に示すように、交換用安定器ユニット３００におけるユニット本体部１３０の連結部１３０ａの内面を載置部１４ａ、１４ｂの上面に対向させた状態、かつ、支持フレーム１２ａの上面および外側側面をユニット固定部３４０により被覆させた状態で、交換用安定器ユニット３００を載置台１４ａ、１４ｂおよび支持フレーム１２ａ上に設置する。さらに、ユニット固定部３４０を、Ｔバー２６ａから取り外された天井板側の開口３４ａを介して支持フレーム１２ａの外側側面にビス穴３４２ａ、３４２ｂ（図１３）を介してビス止めする。これにより、交換用安定器ユニット３００は、載置部１４ａ、１４ｂ、および支持フレーム１２ａに支持されて安定した状態で、支持フレーム１２ａに固定される。
【００４７】
なお、交換安定器用ユニット３００の天井裏側への搬入は、第１の実施形態と同様に、照明器具１０の下面の開口３２を介して実施してもよいし、Ｔバー２６ａ、２６ｂから取り外された天井板側の開口３４ａ、３４ｂのいずれかを介して実施してもよい。また、図１４、１５において、交換用安定器ユニット３００のランプソケット１２０ａ〜１２０ｄ（リード線１２２を含む）および電源用端子台１１０ａは、図を分かり易くするために省略している。
【００４８】
第１の実施形態と同様に、交換用安定器１１０と交換用ランプソケット１２０ａ〜１２０ｄとがリード線１２２を介して予め接続された交換用安定器ユニット３００を、支持フレーム１２ａに固定することで、安定器１６の取り外し作業および作業現場でのリード線の配線作業は不要になる。このため、安定器交換作業の効率が向上し、作業時間および人件費が削減される。また、交換用安定器１１０および交換用ランプソケット１２０ａ〜１２０ｄがリード線１２２を介して接続された状態での動作テストを予め実施しておくことができるため、作業現場での配線ミスに起因する照明器具１０の動作不良が確実に防止される。さらに、ユニット固定部３４０を、Ｔバー２６ａから取り外された天井板側の開口３４ａを介して、支持フレーム１２ａの外側からビス止めすることで、例えば、天井裏側からビス止めする場合に比べて、交換用安定器ユニットの取付作業は容易に実施される。
【００４９】
そして、第１の実施形態と同様に、交換用ランプソケット１２０ａ〜１２０ｄを取り付ける作業以降を順次実施する。これにより、交換用安定器ユニット３００の照明器具１０への取付作業、すなわち、第３の実施形態における照明器具１０の安定器交換作業は完了する。
以上、第３の実施形態でも、第１の実施形態と同様の効果が得られる。
【００５０】
なお、第１〜３の実施形態では、本発明を二灯用照明器具に適用した例について述べた。本発明は、かかる実施形態に限定されるものではない。例えば、本発明を一灯用照明器具または３本以上の照明灯を備えた照明器具に適用してもよい。
第１〜３の実施形態では、本発明を、照明灯の下側にアクセサリを備えていない照明器具に適用した例について述べた。本発明は、かかる実施形態に限定されるものではない。例えば、本発明を、照明灯の下側にルーバやその他のアクセサリを備えた照明器具に適用してもよい。
【００５１】
以上、本発明について詳細に説明してきたが、前述の実施形態およびその変形例は発明の一例に過ぎず、本発明はこれに限定されるものではない。本発明を逸脱しない範囲で変形可能であることは明らかである。
【図面の簡単な説明】
【００５２】
【図１】既設の天井埋設型照明器具を示す斜視図である。
【図２】既設の天井埋設型照明器具を示す上面図である。
【図３】第１の実施形態の交換用安定器ユニットを示す斜視図である。
【図４】第１の実施形態の交換用安定器ユニットの照明器具への取付方法を示すフローチャートである。
【図５】図１の照明器具から照明灯および反射板を取り外した状態を示す斜視図である。
【図６】図５の照明器具からランプソケットを取り外した状態を示す斜視図である。
【図７】図６の照明器具に第１の実施形態の交換用安定器ユニットを取り付けた状態を示す上面図である。
【図８】図７のＡ−Ａ’線に沿った断面図である。
【図９】図７の照明器具に交換用ランプソケット、反射板および照明灯を取り付けた状態を示す斜視図である。
【図１０】第２の実施形態の交換用安定器ユニットを示す斜視図である。
【図１１】図６の照明器具に第２の実施形態の交換用安定器ユニットを取り付けた状態を示す上面図である。
【図１２】図１１のＡ−Ａ’線に沿った断面図である。
【図１３】第３の実施形態の交換用安定器ユニットを示す斜視図である。
【図１４】図６の照明器具に第３の実施形態の交換用安定器ユニットを取り付けた状態を示す上面図である。
【図１５】図１４のＡ−Ａ’線に沿った断面図である。
【符号の説明】
【００５３】
１０  照明器具
１２ａ、１２ｂ  支持フレーム
１４ａ、１４ｂ  載置部
１６  安定器
１６ａ  電源用端子台
１８  安定器保持部
１８ａ  連結部
１８ｂ、１８ｃ  対向部
１８ｄ、１８ｅ  つば部
２０ａ〜２０ｄ  ランプソケット
２２  反射板
２４ａ、２４ｂ  照明灯
２６ａ、２６ｂ  Ｔバー
２８ａ〜２８ｄ  ブラケット
３０  リード線
３２、３４ａ、３４ｂ  開口
１００、２００、３００  交換用安定器ユニット
１１０  交換用安定器
１１０ａ  電源用端子台
１２０ａ〜１２０ｄ  交換用ランプソケット
１２２  リード線
１３０  ユニット本体部
１３０ａ  連結部
１３０ｂ、１３０ｃ  対向部
１４０、２４０、３４０  ユニット固定部
１４２ａ、１４２ｂ、２４２ａ、２４２ｂ、３４２ａ、３４２ｂ  ビス穴
１５０ａ、１５０ｂ  インバータ用照明灯
【図１】
2006019222.tif 000003
【図２】
2006019222.tif 000004
【図３】
2006019222.tif 000005
【図４】
2006019222.tif 000006
【図５】
2006019222.tif 000007
【図６】
2006019222.tif 000008
【図７】
2006019222.tif 000009
【図８】
2006019222.tif 000010
【図９】
2006019222.tif 000011
【図１０】
2006019222.tif 000012
【図１１】
2006019222.tif 000013
【図１２】
2006019222.tif 000014
【図１３】
2006019222.tif 000015
【図１４】
2006019222.tif 000016
【図１５】
2006019222.tif 000017